(57)【要約】【課題】自身が備える照射量算出部により放射線の照射量の検知を行う場合において、適切に照射量の検知を行うことができる放射線画像生成システムを提供する。【解決手段】放射線画像検出装置６は、制御装置７から送信された選択指示に対応する撮影ブロックの照射量を、制御装置７に送信し、  制御装置７は、受信した照射量を表示部７７に表示することを特徴とする放射線画像生成システム。【選択図】図９
2010214056.tif 000002
【特許請求の範囲】
【請求項１】
放射線照射装置と、
前記放射線照射装置から照射され被写体を透過した照射量に応じたエネルギーを電荷量に変換する複数の検出素子をマトリクス状に配置した撮像パネルと、
前記検出素子で得られた電荷量から画像データを生成する画像データ生成部と、
前記撮像パネルの検出素子を複数の撮影ブロックとしてそれぞれの撮影ブロック内の前記検出素子に逆バイアス電圧を供給する複数のバイアス線と、
前記バイアス線を介して前記検出素子に逆バイアス電圧を印加する電源と、
ぞれぞれの前記バイアス線を流れる電流を検出する電流検出部と、
撮影者による前記複数の撮影ブロックの中から少なくとも一つの撮影ブロックの選択指示を入力する入力部と、
少なくとも選択された撮影ブロックに関して、前記電流検出部による検出値に基づいて照射された照射量を算出する照射量算出部と、を設けたことを特徴とする放射線画像生成システム。
【請求項２】
前記入力部と、表示部を備えた制御装置を有し、
前記表示部に前記選択された撮影ブロックの照射量を表示することを特徴とする請求項１に記載の放射線画像生成システム。
【請求項３】
前記制御装置は、生成された画像データを、前記撮影ブロックの位置情報とともに前記表示部に表示することを特徴とすることを特徴とする請求項２に記載の放射線画像生成システム。
【請求項４】
前記制御装置は、前記撮影パネルの最適放射線線量ｊ１と、前記選択された撮影ブロックの照射量ｊ２とに基づいて適正な照射時間に対する差分照射時間を算出し、該差分照射時間を前記表示部に表示することを特徴とする請求項２又は３に記載の放射線画像生成システム。
【請求項５】
前記電流検出部の検出により前記撮像パネルへ放射線の照射が開始されたことを検知し、該検知に基づいて前記検出素子を電荷蓄積状態に遷移させることを特徴とする請求項１から４の何れかに記載の放射線画像生成システム。
【請求項６】
放射線照射装置から照射され被写体を透過した照射量に応じたエネルギーを電荷量に変換する複数の検出素子をマトリクス状に配置した撮像パネルと、
前記検出素子で得られた電荷量から画像データを生成する画像データ生成部と、
前記撮像パネルの検出素子を複数の撮影ブロックとしてそれぞれの撮影ブロック内の前記検出素子に逆バイアス電圧を供給する複数のバイアス線と、
前記バイアス線を介して前記検出素子に逆バイアス電圧を印加する電源と、
ぞれぞれの前記バイアス線を流れる電流を検出する電流検出部と、
撮影者による前記複数の撮影ブロックの中から少なくとも一つの撮影ブロックを選択する選択指示により、少なくとも選択された撮影ブロックに関して前記電流検出部による検出値に基づいて照射された照射量を算出する照射量算出部を、を設けたことを特徴とする放射線画像検出装置。
【請求項７】
前記電流検出部の検出により放射線の照射が開始されたことを検知し、該検知に基づいて前記検出素子を電荷蓄積状態に遷移させることを特徴とする請求項６に記載の放射線画像検出装置。
【発明の詳細な説明】
【技術分野】
【０００１】
本発明は、被写体を透過した放射線を検出する放射線画像検出装置、及びこれを用いた放射線画像生成システムに関する。
【背景技術】
【０００２】
被写体に放射線を照射し、被写体を透過した放射線から得られた画像データは、診断のための医用画像として広く用いられている。放射線撮影においては放射線の照射量を適正に制御することは重要である。照射量が過剰な場合には被写体の被爆線量過多が問題となり、不適切な場合には露光量オーバやアンダーにより適切な画像データが得られなくなる。
【０００３】
被写体に適正な照射量の放射線を照射して適切な画像を得るための手段としては、ＡＥＣセンサ（ＡＥＣ：Ａｕｔｏｍａｔｉｃ  Ｅｘｐｏｓｕｒｅ  Ｃｏｎｔｒｏｌ）が挙げられる。ＡＥＣは、放射線照射装置と被写体とを結んだ延長線上に設けられる。ＡＥＣ制御においては、このＡＥＣセンサにより検出された照射量に応じて放射線照射時間を制御する。
【０００４】
近年は、ＦＰＤ（Ｆｌａｔ  Ｐａｎｅｌ  Ｄｅｔｅｃｔｏｒ）が用いられるようになっている。ＦＰＤは、基板上に複数の検出素子を２次元的に配列したものであり、被写体を透過した放射線が蛍光体（シンチレータ）に照射され、照射された照射量に応じて発光する可視光を検出素子により電荷に変換してコンデンサに蓄積し、コンデンサに蓄積した電荷を読み出すことにより放射線画像を得る。前述のＣＲカセッテを用いたシステムに比べて読取装置を介さずに直接画像データが得られる点でメリットがある。また、半導体製造技術の向上により小型、薄型化が図られており、ＣＲカセッテと同等サイズのカセッテ型のＦＰＤとすることによりＣＲシステムにおいて使用していたＣＲカセットを取り付ける撮影台（いわゆるブッキー装置）等の設備をそのまま流用できるために、導入コストを抑えることができるというメリットがある。
【０００５】
ＦＰＤにおいても、ＡＥＣセンサを使用することにより撮影時の照射量を適正化できる。ＡＥＣセンサにより照射量の適正化を行うためには、前述のとおり放射線照射装置と被写体とを結んだ延長線上に設ける必要があるが、被写体のポジショニングが適正でなく、放射線照射装置から被写体を透過せずにダイレクトにＡＥＣセンサに放射線が届いた場合には、適正な出力であっても過剰な出力であると誤検知してしまう。その結果、放射量が不足してしまい、適正な画像データが得られなくなるという問題があった。
【０００６】
特許文献１に記載のＸ線撮影制御装置においては、複数のＡＥＣセンサを設け撮影時にこれらの中から使用するＡＥＣセンサを選択できる構成とし、撮影で得られた画像データに対して選択したＡＥＣセンサ位置を重畳させてディスプレイに表示させることにより、撮影を行った際に使用したＡＥＣセンサ位置と被写体の位置関係が適正であったかを撮影者に明示するというものである。
【０００７】
また、特許文献２（特に段落００８４）に記載の放射線撮像装置においては撮像パネルから出力される非破壊読み出しの手法により読み出した信号を基準値と比較することにより、自らがＡＥＣセンサと同様に最適露光量の評価を行っている。
【先行技術文献】
【特許文献】
【０００８】
【特許文献１】特開２００５−２１１５１４号公報
【特許文献２】特開２００３−１２６０７２号公報
【発明の概要】
【発明が解決しようとする課題】
【０００９】
ＦＰＤは、その内部の記憶メモリに複数枚の画像データを蓄積することが可能であることから、連続で撮影を行うことが可能である。またＦＰＤはＣＲカセッテに比べて高価である。比較的安価であるＣＲカセッテにおいては各種の撮影サイズに応じた複数のカセッテを準備することは容易であるが、ＦＰＤでは高価であることから難しい。そこでＦＰＤでは大サイズのカセッテを準備し、従来は小サイズのカセッテで行っていた撮影も当該大サイズのＦＰＤカセッテにより行う状況が少なからず存在する。
【００１０】
このような状況においては、被写体の撮影部位に比べてＦＰＤカセッテのサイズが必要以上に大きくなる。その結果、被写体を透過せずに直接、ＦＰＤの検出素子に放射線が照射される領域が増えるため、当該直接照射部の影響を受け、全体としては過剰な照射がされたとして、適正な照射量が得られなくなる恐れがある。
【００１１】
本願発明は、上記問題に鑑み、自身が備える照射量算出部により放射線の照射量の検知を行う場合において、適切に照射量の検知を行うことができる放射線画像生成システムを提供することを目的とする。
【課題を解決するための手段】
【００１２】
上記の目的は、下記に記載する発明により達成される。
【００１３】
１．放射線照射装置と、
前記放射線照射装置から照射され被写体を透過した照射量に応じたエネルギーを電荷量に変換する複数の検出素子をマトリクス状に配置した撮像パネルと、
前記検出素子で得られた電荷量から画像データを生成する画像データ生成部と、
前記撮像パネルの検出素子を複数の撮影ブロックとしてそれぞれの撮影ブロック内の前記検出素子に逆バイアス電圧を供給する複数のバイアス線と、
前記バイアス線を介して前記検出素子に逆バイアス電圧を印加する電源と、
ぞれぞれの前記バイアス線を流れる電流を検出する電流検出部と、
撮影者による前記複数の撮影ブロックの中から少なくとも一つの撮影ブロックの選択指示を入力する入力部と、
少なくとも選択された撮影ブロックに関して、前記電流検出部による検出値に基づいて照射された照射量を算出する照射量算出部と、を設けたことを特徴とする放射線画像生成システム。
【００１４】
２．前記入力部と、表示部を備えた制御装置を有し、
前記表示部に前記選択された撮影ブロックの照射量を表示することを特徴とする前記１に記載の放射線画像生成システム。
【００１５】
３．前記制御装置は、生成された画像データを、前記撮影ブロックの位置情報とともに前記表示部に表示することを特徴とすることを特徴とする前記２に記載の放射線画像生成システム。
【００１６】
４．前記制御装置は、前記撮影パネルの最適放射線線量ｊ１と、前記選択された撮影ブロックの照射量ｊ２とに基づいて適正な照射時間に対する差分照射時間を算出し、該差分照射時間を前記表示部に表示することを特徴とする前記２又は３に記載の放射線画像生成システム。
【００１７】
５．前記電流検出部の検出により前記撮像パネルへ放射線の照射が開始されたことを検知し、該検知に基づいて前記検出素子を電荷蓄積状態に遷移させることを特徴とする前記１から４の何れかに記載の放射線画像生成システム。
【００１８】
６．放射線照射装置から照射され被写体を透過した照射量に応じたエネルギーを電荷量に変換する複数の検出素子をマトリクス状に配置した撮像パネルと、
前記検出素子で得られた電荷量から画像データを生成する画像データ生成部と、
前記撮像パネルの検出素子を複数の撮影ブロックとしてそれぞれの撮影ブロック内の前記検出素子に逆バイアス電圧を供給する複数のバイアス線と、
前記バイアス線を介して前記検出素子に逆バイアス電圧を印加する電源と、
ぞれぞれの前記バイアス線を流れる電流を検出する電流検出部と、
撮影者による前記複数の撮影ブロックの中から少なくとも一つの撮影ブロックを選択する選択指示により、少なくとも選択された撮影ブロックに関して前記電流検出部による検出値に基づいて照射された照射量を算出する照射量算出部を、を設けたことを特徴とする放射線画像検出装置。
【００１９】
７．前記電流検出部の検出により放射線の照射が開始されたことを検知し、該検知に基づいて前記検出素子を電荷蓄積状態に遷移させることを特徴とする前記６に記載の放射線画像検出装置。
【発明の効果】
【００２０】
本願発明によれば、撮像パネルを複数の撮影ブロックに分割し、当該撮影ブロック毎に照射量の検知行うことが可能な構成とし、選択指示された撮影ブロックについての照射量を算出することにより、放射線の照射量の適正化を図ることができる。
【図面の簡単な説明】
【００２１】
【図１】本実施形態における放射線画像生成システムの概略構成を示す図である。
【図２】コンソール７の要部構成を示すブロック図である。
【図３】ＦＰＤ６の要部構成を示すブロック図である。
【図４】ＦＰＤ６の斜視図である。
【図５】撮像パネル６２の断面図である。
【図６】撮像パネル６２及び電流検出部６３４の回路構成を示す模式図である。
【図７】電流検出部６３４で電流から変換され出力される電圧値の時間変化の一例を示す図である。
【図８】２個の撮影ブロックで構成されたＦＰＤ６の実施例である。
【図９】第１の実施形態に係る放射線画像生成システムが行う制御フローの説明図である。
【図１０】表示部７７に表示される表示画面７７２の表示例を示したものである。
【図１１】第２の実施形態に係る放射線画像生成システムが行う制御フローの説明図である。
【図１２】第３の実施形態に係る放射線画像生成システムが行う制御フローの説明図である。
【発明を実施するための形態】
【００２２】
本発明を実施の形態に基づいて説明するが、本発明は該実施の形態に限られない。
【００２３】
本実施形態における放射線画像生成システムの構成について図１から図８に基づいて説明する。図１は、本実施形態における放射線画像生成システムの概略構成を示す図である。
【００２４】
放射線画像生成システムは、図１に示すように、放射線撮影に関する操作を行う撮影操作装置４と、例えば無線ＬＡＮ（Ｌｏｃａｌ  Ａｒｅａ  Ｎｅｔｗｏｒｋ）により無線通信を行うためのアクセスポイント５と、放射線画像検出装置６（以下、単にＦＰＤ６と称す）により生成された画像データに画像処理を行うコンソール７とがネットワークＮを通じて接続されて構成されている。なお、ここでは図示してないが、放射線画像生成システムは、患者診断情報や会計情報を一元管理するＨＩＳ（Ｈｏｓｐｉｔａｌ  Ｉｎｆｏｒｍａｔｉｏｎ  Ｓｙｓｔｅｍ）や放射線診療の情報を管理するＲＩＳ（Ｒａｄｉｏｌｏｇｙ  Ｉｎｆｏｒｍａｔｉｏｎ  Ｓｙｓｔｅｍ）とネットワークＮを介して接続されている。ネットワークＮは、当該システム専用の通信回線であってもよいが、システム構成の自由度が低くなってしまう等の理由のため、イーサネット（登録商標）等の既存の回線である方が好ましい。
【００２５】
１００は撮影室である。撮影室１００には放射線照射装置３、撮影操作装置４、無線通信を行うアクセスポイント５、これらを接続するＨＵＢ９を備えている。
【００２６】
放射線照射装置３は、臥位撮影台１１に横たわっている被写体である患者１２に対して放射線を照射するようになっており、臥位撮影台１１の下方には、ＦＰＤ６を装着する検出装置装着口１１ａが設けられている。放射線照射装置３は、撮影操作装置４により制御されて所定の撮影条件で放射線撮影を行うようになっている。なお放射線照射装置３と検出装置装着口１１ａに装着したＦＰＤ６との撮影タイミングの同期は、両者間でアクセスポイント５を経由した無線通信により行うようにしてもよい。
【００２７】
アクセスポイント５は、放射線照射装置３を備えた撮影室の所定領域内でＦＰＤ６とコンソール７とが無線通信する際に、これらの通信を中継する機能をもつ。なお、無線通信としては無線ＬＡＮ（例えば、ＩＥＥＥ８０２．１１ａ／ｂ／ｇ準拠の通信方式）により行う例について説明するが、これに限られず、電波（空間波）を用いるものの他に、赤外線や可視光線等（レーザー等）を用いた光無線通信（例えば、ＩｒＤＡ）、音波または超音波を用いた音響通信により無線通信するようにしてもよい。
【００２８】
なお、図１の説明においては、無線アクセスポイント５を経由した無線通信により通信を行う例について説明したが、これに限られず、検出装置装着口１１ａにネットワークＮと接続する通信コネクタを設け、ＦＰＤ６を検出装置装着口１１ａに装着することにより、ネットワークＮと有線通信するようにしてもよい。
【００２９】
［コンソール７］
図２は、「制御装置」として機能するコンソール７の要部構成を示すブロック図である。コンソール７は、図２に示すように、制御部７４、ＲＡＭ（Ｒａｎｄｏｍ  Ａｃｃｅｓｓ  Ｍｅｍｏｒｙ）７５、ＲＯＭ（Ｒｅａｄ  Ｏｎｌｙ  Ｍｅｍｏｒｙ）７６、表示部７７、入力操作部７８、通信部７９、記憶部７０等を備えて構成されており、各部はバス７１により接続されている。
【００３０】
制御部７４は、ＣＰＵ（Ｃｅｎｔｒａｌ  Ｐｒｏｃｅｓｓｉｎｇ  Ｕｎｉｔ）等から構成され、ＲＯＭ７６に格納される所定のプログラムを読み出してＲＡＭ７５の作業領域に展開し、当該プログラムに従って各種処理を実行するように構成されている。
【００３１】
表示部７７は、例えば、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等を備えて構成され、制御部７４から送られる表示信号の指示に従って、前記患者リスト、各種のメッセージや画像等、各種画面を表示するものである。
【００３２】
入力操作部７８は、「入力部」として機能し各種指示を入力可能である。例えば、キーボードやマウス等から構成されており、キーボードで押下操作されたキーの押下信号やマウスによる操作信号を入力信号として制御部７４に対して出力するものである。なお、入力操作部７８は、表示部７７の表示画面を覆う透明なシートパネルに、指または専用のスタイラスペンで触れることにより入力される位置情報を入力信号として制御部７４に出力する、いわゆる、タッチパネルにより構成されていてもよい。また入力操作部７８からは放射線技師により撮影オーダ情報を入力可能である。
【００３３】
撮影オーダ情報の一例としては、撮影オーダＩＤ、患者ＩＤ、氏名、性別、年齢及び撮影情報としての診療科、撮影部位、撮影方向から構成されたものがある。
【００３４】
記憶部７０には、ＦＰＤ６の特性情報が記憶されている。ここで特性情報とは、後述のＦＰＤの検出素子（受光素子あるいは光電変換素子ともいう）や、シンチレータパネルの特性、あるいは、感度に依存する最適照射量ｊ１の値などである。なお最適照射量ｊ１は、撮影部位（患部）の情報に応じた複数の異なる値であってもよい。また、複数のＦＰＤ６を用いたシステムにおいてそれぞれのＦＰＤ６の特性情報が異なる場合には、それぞれのＦＰＤ６を識別ＩＤで管理して、識別ＩＤに対応させて特性情報を記憶部７０に記憶させ、当該特性情報により画像データに対して画像処理を行うようにしてもよい。
【００３５】
通信部７９によりネットワークＮに接続された各装置と通信する。そして通信部７９によりネットワークＮに接続されているアクセスポイント５を介して無線ＬＡＮ等の無線通信方式によりＦＰＤ６との間で各種情報の通信を行う。
【００３６】
［ＦＰＤ６］
図３乃至図８に基づいて放射線画像検出装置として機能するＦＰＤ６について説明する。図３はＦＰＤ６の要部構成を示すブロック図であり、図４はＦＰＤ６の斜視図である。図５は撮像パネル６２の断面図である。図６は、撮像パネル６２及び電流検出部６３４の回路構成を示す模式図である。
【００３７】
図３に示すように、ＦＰＤ６の制御系は、制御部６４、ＲＡＭ６５、ＲＯＭ６６、撮像パネル６２、記憶部６０、電源部６７、無線通信部６９、電流検出部６３４等を備え、各部はバス６１により接続されている。
【００３８】
制御部６４は、例えば、ＣＰＵ等から構成され、ＲＯＭ６６に記憶されている制御プログラムを読み出してＲＡＭ６５内に形成されたワークエリアに展開し、当該制御プログラムに従ってＦＰＤ６の各部を制御する。ＲＯＭ６６は、不揮発性の半導体メモリ等により構成され、制御部６４で実行される制御プログラム、各種プログラム及び、ＦＰＤ６のカセッテＩＤ等を記憶する。ＲＡＭ６５は、制御部６４により実行制御される各種処理において、ＲＯＭ６６から読み出された制御部６４で実行可能な各種プログラム、入力若しくは出力データ、及びパラメータ等を一時的に記憶するワークエリアを形成する。
【００３９】
記憶部６０は、例えばフラッシュメモリ等の不揮発性メモリやＲＡＭから構成され、撮像パネル６２に蓄積された電気信号が読み取られることにより取得された、複数回分の撮影に相当する画像データを記憶可能である。
【００４０】
無線通信部６９は、ＩＥＥＥ８０２．１１規格に準拠した無線ＬＡＮにより、アクセスポイント５を介して、コンソール７との間で各種情報の無線通信を行うものである。
【００４１】
バッテリとしての電源部６７は、ＦＰＤ６を構成する複数の駆動部（制御部６４、撮像パネル６２、記憶部６０など）に電力を供給する。この電源部６７は、例えば予備電池と充電自在な充電池とで構成されており、コネクタ６９５を図示しないクレードルに接続することにより、充電池を充電することが可能である。
【００４２】
図４に示すように、ＦＰＤ６は、内部を保護する筐体６０１を備えており、カセッテとして可搬可能に構成されている。筐体６０１の内部には、照射された放射線を電気信号に変換する撮像パネル６２が層を成して形成されている。この撮像パネル６２における放射線の照射面側には、入射された放射線の強度に応じて発光を行う発光層６３が設けられている。
【００４３】
発光層６３は、一般的にはシンチレータ層とも呼ばれるものであり、例えば、蛍光体を主たる成分とし、入射した放射線に基づいて、波長が３００ｎｍから８００ｎｍの電磁波、すなわち、可視光線を中心に紫外光から赤外光にわたる電磁波（光）を出力する。
【００４４】
この発光層６３の放射線が照射される側の面と反対側の面には、発光層から出力された電磁波（光）を電気エネルギーに変換して蓄積し、蓄積された電気エネルギーに基づく画像信号の出力を行う光電変換部がマトリクス状に配列された撮像パネル６２が形成されている。なお、１つの光電変換部から出力される信号が、画像データを構成する最小単位となる１画素に相当する信号となる。また撮像パネル６２には、蓄積された電気エネルギーを読み出す走査駆動回路６０９と、蓄積された電気エネルギーを画像信号として出力する信号選択回路６０８と、放射線の照射量に応じた電流を検出する電流検出部６３４と接続されている。
【００４５】
本実施形態におけるＦＰＤ６は、放射線照射装置３による放射線の照射開始及びその照射停止を電流検出部６３４により検出することが可能である。本実施形態では、検出素子６２０としてフォトダイオードを用いているが、この他にも、フォトトランジスタ等を用いることも可能である。各検出素子６２０は、スイッチ素子である薄膜トランジスタ（Ｔｈｉｎ  Ｆｉｌｍ  Ｔｒａｎｓｉｓｔｏｒ：以下ＴＦＴという）６２２に接続されており、ＴＦＴ６２２を介して信号線６２４に接続されている。
【００４６】
図５に示すように撮像パネル６２は、基板６０４の受光側の面６０４ａ上に、ＡｌやＣｒ等からなるＴＦＴ６２２（符号６８１、６８２、６８３、６８４ａ、６８４ｂ、６８ｄ、６８ｇから構成される）のゲート電極６８ｇが走査線６２３と一体的に積層されて形成されており、ゲート電極６８ｇ上及び面６０４ａ上に積層された窒化シリコン（ＳｉＮｘ）等からなるゲート絶縁層６８１上のゲート電極６８ｇの上方部分に、水素化アモルファスシリコン（ａ−Ｓｉ）等からなる半導体層６８２を介して、検出素子６２０（符号６７２から６７９で構成される）の第１電極６７４と接続されたソース電極６８ｓと信号線６２４と一体的に形成されるドレイン電極６８ｄとが積層されて形成されている。
【００４７】
ソース電極６８ｓとドレイン電極６８ｄとは、窒化シリコン（ＳｉＮｘ）等からなる第１パッシベーション層６８３によって分割されており、さらに第１パッシベーション層６８３は両電極６８ｓ、６８ｄを上側から被覆している。また、半導体層６８２とソース電極６８ｓやドレイン電極６８ｄとの間には、水素化アモルファスシリコンにVI族元素をドープしてｎ型に形成されたオーミックコンタクト層６８４ａ、６８４ｂがそれぞれ積層されている。以上のようにしてＴＦＴ６２２が形成されている。
【００４８】
また、検出素子６２０の部分では、基板６０４ａの面６０４ａ上に前記ゲート絶縁層６８１と一体的に形成される絶縁層６７１の上にＡｌやＣｒ等が積層されて補助電極６７Ａが形成されており、補助電極６７Ａ上に前記第１パッシベーション層６８３と一体的に形成される絶縁層６７３を挟んでＡｌやＣｒ、Ｍｏ等からなる第１電極６７４が積層されている。第１電極６７４は、第１パッシベーション層６８３に形成されたホールＨを介してＴＦＴ６２２のソース電極６８ｓに接続されている。
【００４９】
第１電極６７４の上には、水素化アモルファスシリコンにVI族元素をドープしてｎ型に形成されたｎ層６７５、水素化アモルファスシリコンで形成された変換層であるｉ層６７６、水素化アモルファスシリコンにIII族元素をドープしてｐ型に形成されたｐ層６７７が下方から順に積層されて形成されている。
【００５０】
放射線の照射を受けた発光層６３で変換された電磁波が図中上方から照射されると、ｉ層６７６で電子正孔対が発生する。検出素子６２０は、このようにして、発光層６３からの電磁波を電荷に変換するようになっている。なお、ｐ層６７７、ｉ層６７６、ｎ層６７５の積層の順番は上下逆であってもよい。
【００５１】
ｐ層６７７の上には、ＩＴＯ等の透明電極とされた第２電極６７８が積層されて形成されており、照射された電磁波がｉ層６７６等に到達するように構成されている。以上のようにして検出素子６２０が形成されている。
【００５２】
また、検出素子６２０の第２電極６７８の上面には、第２電極６７８を介して検出素子６２０に逆バイアス電圧を印加するためのバイアス線６２９が接続されている。なお、検出素子６２０の第２電極６７８やバイアス線６２９、ＴＦＴ６２２側に延出された第１電極６７４、ＴＦＴ６２２の第１パッシベーション層６８３等、すなわち検出素子６２０とＴＦＴ６２２の上面部分は、その上方側から窒化シリコン（ＳｉＮｘ）等からなる第２パッシベーション層６７９で被覆されている。
【００５３】
撮像パネル６２の各検出素子６２０は、その電極の一端がそれぞれバイアス線６２９に接続されており、各バイアス線６２９は１本の結線６３０に結束されている。結線６３０は電流検出部６３４を介して電源部６７に接続されている。電源部６７は、各バイアス線６２９を介して各検出素子６２０に逆バイアス電圧を印加するようになっている。
【００５４】
本実施形態では、ｐｉｎ型の検出素子６２０のｐ層６７７側に第２電極６７８を介してバイアス線６２９が接続されていることからも分かるように、電源部６７からは、検出素子６２０の第２電極６７８にバイアス線６２９を介して逆バイアス電圧として負の電圧が印加されるようになっている。
【００５５】
しかし、前述したように検出素子６２０のｐ層６７７、ｉ層６７６、ｎ層６７５の積層順を逆に形成して第２電極６７８を介してｎ層６７５にバイアス線６２９を接続する場合には、電源部６７からは第２電極に逆バイアス電圧として正の電圧が印加される。なお、その場合には、図６における検出素子６２０の電源部６７に対する接続の向きが逆向きになる。
【００５６】
図６に示すとおり撮像パネル６２は光を電気信号に変換する複数の検出素子６２０がマトリクス状に配置されており、１つの検出素子６２０は放射線画像の１画素に対応する。これらの画素は例えば２００〜４００ｄｐｉ（ｄｏｔｓ  ｐｅｒ  ｉｎｃｈ）の密度で、被検体の撮影領域の大きさにわたって配置されている。
【００５７】
また、検出素子６２０間には走査線６２３（横ライン）と信号線６２４（縦ライン）とが配設されており、同図では両者が直交するように格子状に配設されている。ここで、走査線６２３と信号線６２４とで囲まれた１つの区画を１画素とすると、撮像パネル６２の画素数は、例えば、一方向にｍ個、もう一方向にｎ個配置してなる場合にはｍ×ｎ個の画素数より構成されている。そして、撮像パネル６２には、ｍ×ｎ個の画素数分に対応する検出素子６２０とスイッチング素子であるトランジスタ６２２が配置され、画素間には、走査線６２３及び信号線６２４が直交するように配設されることになる。
【００５８】
ＴＦＴ６２２のソース電極６８ｓが検出素子６２０と、ドレイン電極６８ｄが信号線６２４と、ゲート電極６８ｇは走査線６２３とそれぞれ接続される。
【００５９】
各検出素子６２０の第１電極６７４はＴＦＴ６２２のソース電極６８ｓに接続されており、各ＴＦＴ６２２のゲート電極６８ｇは走査駆動回路６０９から延びる各走査線６２３にそれぞれ接続されている。また、各ＴＦＴ６２２のドレイン電極６８ｄは各信号線６２４にそれぞれ接続されている。
【００６０】
そして、走査線６２３を介して走査駆動回路６０９からＴＦＴ８のゲート電極６８ｇに信号読み出し用の電圧が印加されるとＴＦＴ６２２のゲートが開き、検出素子６２０に蓄積された電荷すなわち電気信号がＴＦＴ６２２のソース電極６８ｓを介してドレイン電極６８ｄから信号線６２４に読み出されるようになっている。
【００６１】
そして、増幅回路６０３には電荷リセット用スイッチが設けられており、スイッチがオフ状態であれば各検出素子６２０に蓄積された電荷に比例した電圧値が出力され、スイッチをオン状態であれば蓄積された電荷の放出が行われる。
【００６２】
撮像パネル６２では、これらの回路を介して放射線画像をデジタルの画像信号に変換する。すなわち、「画像データ生成部」として機能する制御部６４が、走査線６２３各々に、走査駆動回路６０９を介して読出信号を供給して画像走査を行い、走査線毎のデジタル画像信号を取り込み、放射線画像をデジタルの画像信号に変換して、位置情報と対応させることにより画像データを生成する。
【００６３】
増幅回路６０３の出力側端子には、相関二重サンプリング回路６０５（Ｃｏｒｒｅｌａｔｅｄ  Ｄｏｕｂｌｅ  Ｓａｍｐｌｉｎｇ：以下ＣＤＳという）が接続されている。ここで、相関二重サンプリング回路６０５は、電荷−電圧変換回路のコンデンサのリセット後の第１の電圧値と、撮影後（照射後）に読み出した第２の電圧値の差分を取ることによりコンデンサのリセット時の雑音を除去（低減）する回路である。
【００６４】
［電流検出部６３４］
次に制御部６４及び電流検出部６３４により放射線の照射開始及び照射停止を検知する手順について説明する。図５に示した実施形態においては検出素子６２０の第２電極６７８に、バイアス線６２９を介して逆バイアス電圧である負の電圧が印加されると、検出素子６２０内に電位勾配が生じる。この状態で、放射線照射装置３等の放射線源から放射線が照射され、放射線の照射を受けた発光層６３により放射線から変換された電磁波が検出素子６２０のｉ層（変換層）６７６に入射すると、ｉ層６７６内で電子正孔対が発生する。
【００６５】
そして、発生した電子正孔対のうち、電子は電位勾配に従って高電位である第１電極６７４側に移動するが、ＴＦＴ６２２のゲートが閉じているため、電子は第１電極６７４やｉ層６７６内の第１電極６７４近傍に蓄積する。検出素子６２０のｉ層６７６に電磁波の光子の数に比例して電子正孔対が発生するため、検出素子６２０内には、入射した電磁波の量に応じた量の電子が蓄積される。
【００６６】
一方、発生した電子正孔対のうち、正孔は電位勾配に従って低電位である第２電極６７８側に移動し、第２電極６７８を通ってバイアス線６２９に流れ出る。図５に示すように、この検出素子６２０から流れ出てバイアス線６２９を流れる正孔が電流として電流検出部６３４で検出される。
【００６７】
このバイアス線６２９を流れる正孔も、検出素子６２０のｉ層６７６に入射する電磁波の光子の数に比例して発生した電子正孔対の分だけ発生するため、入射した電磁波の量に応じて検出素子６２０内に蓄積された電子の量と同量の正孔がバイアス線６２９内を流れるようになる。各バイアス線６２９を流れる、放射線の照射量に比例して流れる電流は結線６３０に集められ、結線６３０中を電流検出部６３４に向かって流れる。
【００６８】
以上の検出素子６２０における電荷の発生原理に基づいた場合、放射線または電磁波が検出素子６２０のｉ層６７６に入射しない放射線照射の前段階では、理想的にはバイアス線６２９や結線６３０内には電流は流れないが、実際には検出素子６２０で暗電流が発生し、電流検出部６３４で微量の電流が検出される。
【００６９】
［照射開始、停止の検出］
図７は、電流検出部６３４で電流から変換され出力される電圧値の時間変化の一例を示す図である。前述したように、本実施形態では、電流検出部６３４は結線６３０を流れる電流を電圧値に変換して出力するため、放射線または電磁波が検出素子６２０のｉ層６７６に入射されない放射線照射の前段階においても、図７における時刻ｔａに示されるように、電流検出部６３４から制御部６４に微量ではあるが０ではない電圧値Ｖａが入力される。
【００７０】
そして、放射線源からの放射線の照射が開始されると、各検出素子６２０内で電子正孔対が発生し、バイアス線６２９や結線６３０を通じて正孔が電流検出部６３４に運ばれる。そのため、図７における時刻ｔｂに示されるように、電流検出部６３４から出力される電圧値Ｖが増加する。そこで、本実施形態では、制御部６４は、電流検出部６３４から出力される電圧値Ｖが大きく増加し始めたことを検出することで、放射線の照射開始を検出するようになっている。
【００７１】
電圧値Ｖの増加による放射線の照射開始については、電圧値Ｖが所定の閾値Ｖｔｈを越えた時刻ｔｃに放射線照射が開始されたとして検出するように構成してもよく、また、電圧値Ｖの時間微分値が所定の閾値を越えた時刻ｔｄに放射線照射が開始されたとして検出するように構成することも可能である。
【００７２】
また、放射線源からの放射線の照射が終了すると、今度は、各検出素子６２０内での電子正孔対の発生が停止し、バイアス線６２９に正孔が供給されなくなる。そのため、図７における時刻ｔｅに示されるように、電流検出部６３４から出力される電圧値Ｖが減少し始める。そこで、本実施形態では、制御部６４は、電流検出部６３４から出力される電圧値Ｖが減少したことを検出することで、放射線の照射終了を検出するようになっている。
【００７３】
電圧値Ｖの減少による放射線の照射終了については、電圧値Ｖが前述した所定の閾値Ｖｔｈを下回った時刻ｔｆに放射線照射が終了されたとして検出するように構成してもよく、また、電圧値Ｖの時間微分値が所定の負の値の閾値をより負側に越えた時刻ｔｇに放射線照射が終了されたとして検出するように構成することも可能である。
【００７４】
［照射量算出部］
照射量ｊは照射時間と照射強度の積であるから、照射量ｊの検出は、積分回路等を用いて、図７に示した照射開始時刻ｔｃから照射終了時刻ｔｆまでの電圧値Ｖ（あるいは電圧値Ｖからノイズに相当する一定値を減じた値）の積分値を算出することにより算出することができる。算出は、積分回路を設けて検出するようにしてもよく、照射時間（ｔｆ−ｔｇ）にピーク値Ｖｐを乗じることにより算出するようにしてもよい。本実施形態においては、制御部６４が、電流検出部６３４と協働することにより、照射量算出部として機能する。
【００７５】
［撮影時の放射線照射装置３とＦＰＤ６との同期］
ＦＰＤ６においては、放射線の照射がされていない場合にも検出素子６２０から電荷が発生する、いわゆる暗電流が発生する。この暗電流現象により発生した電荷は、画像データを得る上ではノイズとなり画像に悪影響を及ぼす。当該暗電流の影響を極力少なくするためには、撮影直前に蓄積した電荷を掃き出すことが有効である。患者１２に対する放射線被爆量を極力抑えるためと、暗電流による影響の抑制とを両立させるためには、撮影時において、放射線照射装置３の照射タイミングに合わせてＦＰＤ６側が同期を取る必要がある。ここでいう同期とは、（１）放射線照射装置３からの放射線照射直前にＦＰＤ６の電荷を放出（電荷リセット状態）させておき、（２）放射線照射開始に合わせて検出素子６２０で発生した電荷を電荷蓄積状態にし、（３）放射線照射停止に合わせて検出素子６２０に蓄積された電荷の読取開始（電荷読出状態）を行うものである。
【００７６】
ここで、「電荷リセット状態」、「電荷読出状態」、「電荷蓄積状態」の各状態について説明する。「電荷リセット状態」とは前述の初期化を所定の間隔で連続して実行している状態のことであり、「電荷読出状態」とは、各検出素子６２０に蓄積した電荷を順次信号線に出力して、レジスタ６７２を介してデジタル画像信号に変換する状態のことであり、「電荷蓄積状態」とは、これら初期化あるいは読み出しをせずに放射線の照射にともない変換された電荷を各検出素子６２０に蓄積しつづける状態、いわゆる露光を行っている状態のことをいう。
【００７７】
なお、ＦＰＤ６の放射線照射に対する同期はコンソール７等の外部装置からの信号により行うようにしてもよく、本実施形態のように電流検出部６３４を備えていれば自らが照射開始及び停止を検知して同期させるようにしてもよい。
【００７８】
［撮影ブロック］
本実施形態においては、図６に示した撮像パネル６２は複数に分割されている。図８は、撮影ブロック１と撮影ブロック２の２個の撮影ブロックで構成されたＦＰＤ６の実施例である。同図に示すようにＦＰＤ６においては共通する信号選択回路６０８と、各撮影ブロックそれぞれに配置したバイアス線（６３０（１）または６３０（２））と、電流検出部（６３４（１）または６３４（２））、走査駆動回路（６０９（１）または６０９（２））から構成される。なお図８に示す例は２個の撮影ブロックで構成された例であるが、さらに細分化して４個あるいはそれ以上の撮影ブロックで構成された場合であってもよい。
【００７９】
このような構成としていることから、本実施形態においては、照射量算出部として機能する制御部６４と２個の電流検出部６３４により、撮影ブロック毎に照射量ｊを算出することができる。
【００８０】
［制御フロー（第１の実施形態）］
図９は、第１の実施形態に係る放射線画像生成システムが行う制御フローの説明図である。ステップＳ１１では、撮影オーダ情報に基づいて、患者１２に対して撮影を行い、画像データを生成する。撮影は、放射線技師等の撮影者が撮影オーダ情報に基づいて撮影操作装置４により放射線照射装置３の照射強度（（Ｗ／ｃｍ２）放射照度ともいう）、照射時間の条件設定を行う。続いて不図示の撮影開始のボタンを操作することにより、設定された条件に基づいて放射線照射装置３から放射線の照射が開始される。また放射線の照射開始に先だってＨＵＢ９、アクセスポイント５を経由してＦＰＤ６には予告通知及び、照射開始通知が送信され、これらの通知に基づいてＦＰＤ６の状態は「電荷リセット状態」、「電荷蓄積状態」へと遷移する。
【００８１】
ステップＳ１２ではステップＳ１１の撮影の際の照射量ｊ２を算出する。
【００８２】
ステップＳ１３では、撮影により得られた画像データをコンソール７に送信する。ステップＳ１４では、それぞれに設けられた電流検出部６３４により撮影時に得られた各撮影ブロックの照射量ｊ２をコンソール７に送信する。
【００８３】
ステップＳ７１でコンソール７は、ステップＳ１３でＦＰＤ６より送信された画像データを表示部７７に表示する。ステップＳ７２では、撮影ブロックを画像データと共に表示部７７に表示する。ここで表示例について、図１０に基づいて説明する。
【００８４】
図１０は、表示部７７に表示される表示画面７７２の表示例を示したものである。図１０においては、画像表示欄７７２ｍには、撮影された画像データを表示させている。撮影者が、表示画面７７２に表示されている画像データを参照することにより病気診断のための診断画像として適するか否かをそれぞれ判断し、診断に使用可能であり撮影が正常に終了したと判断した場合にはＯＫボタン７７２ｈを押すことにより当該撮影は終了する。一方、撮影部位が不適切の場合あるいは、撮影時の患者の動きにより撮影がブレたりした場合には撮影は正常に終了しなかったことになり、再撮影が必要となる。このような場合にはＮＧボタン７７２ｉを押す。この場合、ＮＧボタン７７２ｉが押された画像データに対応する撮影オーダ情報ついては再撮影のための所定の管理フォルダに再度登録しても良い。
【００８５】
図示せぬ画像処理部で、受信した画像データのヒストグラム解析等や、予め設定されている部位情報に応じ、最適な画像処理条件（例えば階調等）で画像処理が施されている。そして当該画面の右上には、画像処理調整欄７７２ｅが設けられており、撮影者は、この画像処理調整欄７７２ｅをマウス等により操作することにより、濃度やコントラストの調整を行うことができる。各画像に対応して表示されているＯＫボタン７７２ｈを押下すると、撮影が正常に終了したことを確定することができる。また、表示画面７７２には、表示された撮影画像に対応付けられた撮影オーダ情報に含まれる患者情報を表示する患者情報表示欄７７２ｆが設けられている。
【００８６】
７７２ｐは、撮像ブロックの位置を示すブロック表示欄７７２ｐである。同図に示す例では、２個の撮影ブロックが表示されている。表示欄７７２ｐでは、任意の数の撮影ブロックを選択することが可能である。撮影ブロックの配置は画像表示欄７７２ｍにも重畳して表示させており、画像表示欄７７２ｍの矩形の破線が、二つの撮影ブロックの配置と対応している。撮影者は、画像表示欄７７２ｍで下半分の撮影ブロック１側に患者の患部１２Ｈが撮影されていることを認識することができるので当該撮影ブロック１を主関心領域と判断することになる。
【００８７】
同図に示す例においてはブロック表示欄７７２ｐで撮影ブロック１（下半分）が選択されていることを示している。そして、撮影者による選択された撮影ブロックの選択指示の入力（ステップＳ７３）に基づいて、ステップＳ７４では、ステップＳ１４で送信された各撮影ブロックの照射量ｊ２の中から選択された撮影ブロックの照射量ｊ２を表示部７７に表示させる。図１０の例においては、照射量表示欄７７２ｑに表示することができる。なお、照射量としては照射された照射量（Ｊ／ｃｍ２）を直接表示してもよく、後述するように最適照射量をｊ１、算出した照射量ｊ２、及び照射強度ｗから、最適照射時間との差分の差分照射時間ｄｔ（＝（ｊ１−ｊ２）／ｗ）を求めこれを表示したり、両者の比（ｊ２／ｊ１）を特徴量Ｓとして表示したりするようにしてもよい。
【００８８】
［制御フロー（第２の実施形態）］
図１１は、第２の実施形態に係る放射線画像生成システムが行う制御フローの説明図である。第２の実施形態においては、予め撮影ブロックのいずれかで撮影を行うか決定しておき、当該撮影ブロックにより放射線照射量のモニターを行うものである。例えばＦＰＤ６が半切サイズの撮影が可能なカセッテで、四切サイズあるいは六切サイズ相当の撮影を行う場合に、ＦＰＤ６の外装に付された天地左右を示すマーカ（例えば、端面に色付け）に合わせて下半分（あるいは上半分）で患部の撮影を行う場合である。このようにすれば、撮影者は、ＦＰＤ６のどの領域で患者１２の撮影を行うかを認識することができる。
【００８９】
図１１のステップＳ８１では、コンソール７の入力操作部７８により撮影ブロックの選択指示の入力を行う。図１０に示す例であれば、ブロック表示欄７７２ｐへの入力により選択指示を行う。
【００９０】
ステップＳ８２では、コンソール７はステップＳ８１で選択された結果をＦＰＤ６へ送信する。
【００９１】
ステップＳ３１では、撮影者による撮影操作装置４への操作指示に基づいて放射線照射装置３による放射線の照射を開始する。ステップＳ１１１では、ステップＳ３１での放射線照射開始に応じて、ＦＰＤ６が、自身の電流検出部６３４により放射線の照射開始を検知する。そして当該検知に基づいて検出素子６２０を「電荷蓄積状態」に遷移させる。なお、当該ステップに先だって、コンソール７から受信したステップＳ８２の選択指示に基づいて、検出素子６２０を「電荷リセット状態」に遷移させておくようにしてもよい。
【００９２】
ステップＳ３２では、放射線照射装置３は設定されている照射時間の経過に伴い放射線照射を停止する。そしてＦＰＤ６はステップＳ１１２で、当該停止を電流検出部６３４により検知する。そして当該検知に基づいて検出素子６２０を「電荷読出状態」に遷移させて、画像データ生成部により画像データを生成する。
【００９３】
ステップＳ１２では、ステップＳ１１１からＳ１１２間で照射された照射量ｊ２を算出する。
【００９４】
ステップＳ１３では、ステップＳ１１２で得られた画像データをコンソール７に送信する。ステップＳ１４では、ステップＳ８２で送信された選択指示に対応する撮影ブロックに設けられた電流検出部６３４により得られた照射量ｊ２をコンソール７に送信する。
【００９５】
コンソール７はその表示部７７に画像データ、及び照射量ｊ２を表示する（ステップＳ８３、Ｓ８４）。
【００９６】
そしてステップＳ８５では、最適照射量をｊ１、算出した照射量ｊ２、照射強度ｗから、最適照射時間との差分の差分照射時間ｄｔ（＝（ｊ１−ｊ２）／ｗ）を求め、これを表示する。なお最適照射量ｊ１は、濃度のアンダーやオーバが発生しない最適な照射量のことであり、基本的には撮影に用いるＦＰＤ６の感度特性により定まる値である。当該最適照射量ｊ１はＦＰＤ６６の記憶部６０あるいは、コンソール７の記憶部７０にＦＰＤ６の識別ＩＤとともに予め記憶されている。また、当該最適照射量ｊ１は、撮影患部あるいは、患者の肥満度等により変化する場合があるので撮影オーダ情報に基づいて所定の係数を乗じた換算値を用いるようにしてもよい。差分照射時間ｄｔを表示させるのは照射量の調整としては照射時間の設定が反映し易く、撮影者が、以降に行う撮影の際照射時間の適正化を行い易くするためである。
【００９７】
従来においては、被写体を透過せずに直接、ＦＰＤの検出素子に放射線が照射される直接照射により得られた照射量も用いていたために検知値が高めに出力され、その結果、被写体を撮影する撮影領域では不足する照射量であっても適正であると御検知が発生するおそれがあった。
【００９８】
第１、第２の実施形態によれば、撮像パネルを複数の撮影ブロックに分割し、当該撮影ブロック毎に照射量の検知行うことが可能な構成とし、選択指示された撮影ブロックの照射量を表示することにより、直接照射を除いた撮影領域の照射量の検出値を用いることにより適切に照射量の検知を行うことができ、かつ、その情報を撮影者に提供することができる。
【００９９】
［制御フロー（第３の実施形態）］
図１２は、第３の実施形態に係る放射線画像生成システムが行う制御フローの説明図である。第３の実施形態においては、ＦＰＤ６の照射量の検知に基づいて、放射線照射装置３の照射停止を制御するものである。
【０１００】
図１１と共通する制御に関しては、同符号を付すことにより説明に代える。ステップＳ２１では、ステップＳ８２で送信された選択指示に基づいて、選択された撮影ブロックに対応する電流検出部６３４を有効として、照射量ｊのモニターを行う。ステップＳ２２では、ステップＳ３１で開始された放射線の照射を検知する。照射開始の検知は選択された撮影ブロックの電流検出部６３４で行うことが好ましいが、選択されていない他の撮影ブロックの電流検出部６３４の出力により行うようにしても構わない。
【０１０１】
ステップＳ２３では、モニターしている照射量ｊが最適照射量ｊ１を超えたか否かを監視する。超えたと判断した場合（ステップＳ２３：Ｙｅｓ）には、照射停止通知をコンソール７に送信する（ステップＳ２４）。当該通知を受信したコンソール７は、放射線照射装置へ停止指示を通知する（ステップＳ８２５）。なお、ＦＰＤ６が撮影操作装置４に直接指示を行ってもよい。
【０１０２】
ステップＳ３２では当該通知に基づいて、放射線照射装置３は放射線の照射停止を行う。ステップＳ１１２以降の制御は、図１１と共通するので説明は省略する。
【０１０３】
本実施形態においては、選択された撮影ブロックの照射量ｊに基づいて、放射線照射装置３の照射停止を制御するので、直接照射の影響をなるべく避けた撮影領域で照射量の検出値を用いることにより適切に照射量の検知及び、放射線照射装置３の制御を行うことができる。
【符号の説明】
【０１０４】
３  放射線照射装置
４  撮影操作装置
５  アクセスポイント
Ｎ  ネットワーク
１１  臥位撮影台
６  放射線画像検出装置
６２  撮像パネル
６３  発光層
６４  制御部
６０  記憶部
６７  電源部
６９  無線通信部
６０８  信号選択回路
６０９  走査駆動回路
６２０  検出素子
６２３  走査線
６２９  バイアス線
６３０  結線
６３４  電流検出部
７  コンソール
７０  記憶部
７４  制御部
７７  表示部
７８  入力操作部
７９  通信部
【図１】
2010214056.tif 000003
【図２】
2010214056.tif 000004
【図３】
2010214056.tif 000005
【図４】
2010214056.tif 000006
【図５】
2010214056.tif 000007
【図６】
2010214056.tif 000008
【図７】
2010214056.tif 000009
【図８】
2010214056.tif 000010
【図９】
2010214056.tif 000011
【図１０】
2010214056.tif 000012
【図１１】
2010214056.tif 000013
【図１２】
2010214056.tif 000014